(57)【要約】【課題】通信回線からの指示信号により機器を制御できるコントロール装置及び機器のコントロール方法に関し、通信端末装置を通して遠隔にある制御対象を統合的に制御できるコントロール装置及び機器のコントロール方法を提供することを目的とする。【解決手段】本発明は、制御対象機器（１４）と、制御対象機器（１４）に制御指示を発行する通信端末装置（１１）と、通信端末装置（１１）で発行された制御指示に基づいて制御対象機器（１４）を制御する制御装置（１３）とを有し、制御装置（１３）は、制御対象機器（１４）が接続され、夫々別々独立に、かつ、専用に管理する複数の入出力ポート（Ｐ１〜Ｐｎ）を有し、通信端末装置（１１）からの指示に基づいて入出力ポート（Ｐ１〜Ｐｎ）に接続された制御対象機器（１４）を選択し、選択された制御対象機器（１４）を制御することを特徴とする。【選択図】  図５
2004187093.tif 000002
【特許請求の範囲】
【請求項１】
制御対象機器と、
前記制御対象機器に制御指示を発行する通信端末装置と、
前記通信端末装置で発行された制御指示に基づいて前記制御対象機器を制御する制御装置とを有し、
前記制御装置は、前記制御対象機器が接続され、夫々別々独立に、かつ、専用に管理する複数の入出力ポートと、
前記通信端末装置からの指示に基づいて前記入出力ポートに接続された制御対象機器を選択し、選択された制御対象機器を制御する制御手段を有することを特徴とする機器制御システム。
【請求項２】
前記制御装置は、情報の記録／再生を行う記録／再生装置を有することを特徴とする請求項１記載の機器制御システム。
【請求項３】
前記制御装置は、前記記録／再生装置に前記制御対象機器で取得した情報を記録することを特徴とする請求項１又は２記載の機器制御システム。
【請求項４】
前記制御装置は、前記制御対象機器とのインタフェースをとる複数種類のインタフェースを有することを特徴とする請求項１乃至３のいずれか一項記載の機器制御システム。
【請求項５】
制御対象機器に制御指示を発行する通信端末装置で発行された制御指示に基づいて前記制御対象機器を制御する機器制御装置であって、
前記制御装置は、前記制御対象機器が接続され、夫々別々独立に、かつ、専用に管理する複数の入出力ポートと、
前記通信端末装置からの指示に基づいて前記入出力ポートに接続された制御対象機器を選択し、選択された制御対象機器を制御する制御手段を有することを特徴とする機器制御装置。
【請求項６】
情報の記録／再生を行う記録／再生装置を有することを特徴とする請求項５記載の機器制御装置。
【請求項７】
前記制御手段は、前記記録／再生装置に前記制御対象機器で取得した情報を記録することを特徴とする請求項５又は６記載の機器制御装置。
【請求項８】
前記制御対象機器とのインタフェースをとる複数種類のインタフェースを有することを特徴とする請求項５乃至７のいずれか一項記載の機器制御装置。
【請求項９】
制御対象機器と、
前記制御対象機器に制御指示を発行する通信端末装置と、
前記通信端末装置で発行された制御指示に基づいて前記制御対象機器を制御する制御装置とを有し、
前記通信端末装置からの指示に基づいて、前記制御対象機器を選択し、選択された制御対象機器が接続され、夫々別々独立に、かつ、専用に管理された複数の入出力ポートを選択し、選択された入出力ポートを用いて選択された制御対象機器を制御することを特徴とする機器制御方法。
【請求項１０】
前記制御装置は、情報の記録／再生を行う記録／再生装置を有することを特徴とする請求項９記載の機器制御システム。
【請求項１１】
前記制御装置は、前記記録／再生装置に前記制御対象機器で取得した情報を記録することを特徴とする請求項９又は１０記載の機器制御方法。
【請求項１２】
前記制御装置は、前記制御対象機器とのインタフェースをとる複数種類のインタフェースを有することを特徴とする請求項９乃至１１のいずれか一項記載の機器制御方法。
【発明の詳細な説明】
【０００１】
【発明の属する技術分野】
本発明は機器制御システム及び機器制御装置並びに機器制御方法に係り、特に、通信端末装置から制御指示に基づいて機器を制御する機器制御システム及び機器制御装置並びに機器制御方法に関する。
【０００２】
【従来の技術】
従来、家電機器などを外部から遠隔制御するシステムでは、例えば、パーソナルコンピュータで外部からの電話回線を通して供給された指示を受信し、受信したＬＡＮなどで家電機器を制御する方法が提案されている。（特許文献１参照）
【特許文献１】
特開平１０−２７６４７８号公報
【０００３】
【発明が解決しようとする課題】
しかるに、従来、家電機器を統合的に遠隔制御しようとするシステムでは、ホームサーバを設ける必要があるため、高価となるとともに、導入が容易でなかった。また、家電機器もＬＡＮなどの対応している必要があり、さらに、家電機器も高価となるとともに、導入も容易に行えない。
【０００４】
本発明は上記の点に鑑みてなされたもので、安価で、かつ、自由度が高く、容易に通信端末装置を通して遠隔にある制御対象を統合的に制御できる機器制御システム及び機器制御装置並びに機器制御方法を提供することを目的とする。
【０００５】
【課題を解決するための手段】
本発明は、制御対象機器（１４）と、制御対象機器（１４）に制御指示を発行する通信端末装置（１１）と、通信端末装置（１１）で発行された制御指示に基づいて制御対象機器（１４）を制御する制御装置（１３）とを有し、制御装置（１３）は、制御対象機器（１４）が接続され、夫々別々独立に、かつ、専用に管理する複数の入出力ポート（Ｐ１〜Ｐｎ）を有し、通信端末装置（１１）からの指示に基づいて入出力ポート（Ｐ１〜Ｐｎ）に接続された制御対象機器（１４）を選択し、選択された制御対象機器（１４）を制御することを特徴とする。
【０００６】
本発明によれば、制御装置（１３）により、通信端末装置（１１）からの指示に基づいて入出力ポート（Ｐ１〜Ｐｎ）に接続された制御対象機器（１４）を選択し、選択された制御対象機器（１４）を制御することにより、通信端末装置（１１）からの指示により制御対象装置（１４）の制御や状態検出を容易に行うことができるため、機器の操作性を向上させることができる。
【０００７】
なお、参照符号はあくまでも理解を容易にするためのものであり、これによって特許請求の範囲を限定するものではない。
【０００８】
【発明の実施の形態】
図１は本発明の一実施例のシステム構成図を示す。
【０００９】
本実施例の機器制御システム１は、通信端末装置１１、ネットワーク１２、多目的コントロール装置１３、制御対象装置１４、書込装置１５を含む構成とされている。
【００１０】
まず、通信端末装置１１の構成について詳細に説明する。
【００１１】
図２は通信端末装置１１のブロック構成図を示す。
【００１２】
通信端末装置１１は、例えば、電話機、携帯電話機、ＰＤＡ（ｐｅｒｓｏｎａｌ  ｄｉｇｉｔａｌ  ａｓｓｉｓｔａｎｔ）などであり、送受信装置２１、処理装置２２、音声処理装置２３、スピーカ２４、マイク２５、操作部２６、表示装置２７を含む構成とされている。
【００１３】
送受信装置２１は、ネットワーク１２との通信制御を行う。処理装置２２は、送受信データのエンコード、デコード処理を行う。音声処理装置２３は、処理装置２２で処理された音声データをアナログ音声信号に変換してスピーカ２４を駆動する。また、音声処理装置２３は、マイク２５により得られたアナログ音声信号をディジタルデータに変換して処理装置２２に供給する。
【００１４】
操作部２６は、キースイッチ、ポインティングデバイスから構成され、電話番号、コマンドなどの入力に用いられる。表示装置２７は、例えば、ＬＣＤ（ｌｉｑｕｉｄ  ｃｒｙｓｔａｌ  ｄｅｖｉｃｅ）などから構成されており、処理装置２２からの指示に基づいて制御対象毎の制御用画面などを表示する。
【００１５】
図３は処理装置２２の処理フローチャートを示す。
【００１６】
処理装置２２は、ユーザにより操作部２６が操作され、ステップＳ１−１で制御開始の指示が行われると、ステップＳ１−２で多目的コントロール装置１３に対して予め設定されたダイヤル番号にダイヤルを行う。処理装置２２は、ステップＳ１−３、Ｓ１−４で多目的コントロール装置１３と通信が確立するか、又は、ダイヤル回数が規定回数となるまで行う。処理装置２２は、ステップＳ１−３でダイヤルを規定回数行うと、ステップＳ１−５で表示装置２７にエラー表示を行う。
【００１７】
処理装置２２は、ステップＳ１−４で多目的コントロール装置１３と通信が確立すると、ステップＳ１−６で制御対象装置１４を制御するための制御処理を行う。処理装置２２は、ユーザにより操作部２６が操作され、ステップＳ１−７で制御が終了されるまで制御処理を行い、ステップＳ１−７で制御処理が終了すると、ステップＳ１−８で回線を切断して処理を終了する。
【００１８】
次に、ステップＳ１−６の制御処理について詳細に説明する。
【００１９】
図４は処理装置２２による制御処理の処理フローチャートを示す。
【００２０】
処理装置２２は、まず、ステップＳ２−１でメニュー画面を多目的コントロール装置１３に要求する。処理装置２２は、ステップＳ２−２で多目的コントロール装置１３からメニュー画面を受信すると、ステップＳ２−３で受信したメニュー画面を表示する。
【００２１】
次に、処理装置２２は、ステップＳ２−４で表示されたメニュー画面から操作部２６の操作により制御対象装置１４が選択されると、ステップＳ２−５で制御画面を多目的コントロール装置１３に要求する。処理装置２２は、ステップＳ２−６で多目的コントロール装置１３から制御画面を受信すると、ステップＳ２−７で受信した制御画面を表示する。
【００２２】
処理装置２２は、ステップＳ２−８で制御画面から操作部２６の操作により制御指示が行われると、ステップＳ２−９で多目的コントロール装置１３に制御指示を送信する。処理装置２２は、ステップＳ２−１０で多目的コントロール装置１３から制御指示に対する制御対象装置１３の状態通知を受信すると、ステップＳ２−１１で制御対象装置１３の状態を表示して処理を終了する。
【００２３】
以上のようにして、通信端末装置１１から多目的コントロール装置１３に制御指示が行われる。
【００２４】
ネットワーク１２は、例えば、一般電話回線網、携帯電話回線網、インターネットなどから構成されており、通信端末装置１１と多目的コントロール装置１３とでの通信を可能としている。
【００２５】
次に多目的コントロール装置１３について詳細に説明する。
【００２６】
多目的コントロール装置１３は、制御対象機器が接続され、夫々別々独立に、かつ、専用に管理する複数の入出力ポートを有し、通信端末装置１１からの指示に基づいて入出力ポートに接続された制御対象装置１４を選択し、選択された制御対象機器装置１４を制御する。
【００２７】
図５は多目的コントロール装置１３のブロック構成図を示す。
【００２８】
多目的コントロール装置１３は、通信回線接続用コネクタ３１、通信装置３２、コントロールボード３３、コントロール端子コネクタ３４、書込用コネクタ３５、ＰＣ接続用コネクタ３６、電源装置３７、電源接続用コネクタ３８を含む構成とされている。
【００２９】
通信回線接続用コネクタ３１は、例えば、ＲＪ−１１、ＲＪ−４４２、ＲＪ−４５などのモジュラコネクタから構成されている。コネクタ３１には、電話回線ケーブル、ＬＡＮケーブルなどのコネクタが装着される。コネクタ３１は、多目的コントロール装置１３の内部で通信装置３２に接続されている。
【００３０】
通信装置３２は、モデムなどから構成される。通信装置３２は、コネクタ３１に接続されるネットワーク１２との通信制御を行う。通信装置３２は、多目的コントロール装置１３の内部でコントロールボード３３に接続されている。
【００３１】
図６はコントロールボード３３のブロック構成図を示す。
【００３２】
コントロールボード３３は、プリント配線基板上に通信装置接続用コネクタ４１、ＣＰＵ４２、コントロールＩＣ４３、出力回路４４、コントロール端子接続用コネクタ４５、ＰＣ端子接続用コネクタ４６、ＣＤ−ＲＷドライブ４７、書込端子接続用コネクタ４８、電源回路４９、電源装置接続用コネクタ５０を搭載した構成とされている。
【００３３】
通信装置接続用コネクタ４１は、通信装置３２をコントロールボード３３に接続するためのコネクタである。通信装置３２からのデータは、コネクタ４１を介してＣＰＵ４２に供給される。また、ＣＰＵ４２からのデータは、コネクタ４１を介して通信装置３２に供給される。
【００３４】
ＣＰＵ４２は、内蔵メモリ５１に記憶されたプログラムに基づいて各種データ処理を実行する。例えば、通信装置３２からのデータの基づいて制御対象機器１４を制御するための処理を実行する。
【００３５】
内蔵メモリ５１には、ＣＰＵ４２の入出力ポートに接続される制御対象装置を識別するためのテーブルが設けられている。
【００３６】
図７は制御対象装置識別テーブルのデータ構成図を示す。
【００３７】
制御対象装置識別テーブルＴＢは、ポート番号Ａ１〜Ａｎ毎に制御対象装置名Ｂ１〜Ｂｎ、制御プログラム識別情報Ｃ１〜Ｃｎ等が記憶された構成とされている。
【００３８】
これによって、通信端末装置１１によってメニュー画面から制御対象装置１４を指定し、指定された制御対象装置１４の制御対象装置名Ｂｉをキーとして制御対象装置識別テーブルＴＢを参照することにより制御対象装置１４が接続されたポート番号Ａｉ及び制御プログラムＣｉを取得できる。
【００３９】
ＣＰＵ４２は、処理結果に応じた制御データをコントロールＩＣ４３に供給する。コントロールＩＣ４３は、ＣＰＵ４２からの制御データに基づいてコントロール端子コネクタ４５を構成する各制御端子を制御するための制御信号を生成する。コントロールＩＣ４３で生成された制御信号は、出力回路４４に供給される。
【００４０】
出力回路４４は、パワートランジスタアレイなどから構成され、コントロールＩＣ４３からの各制御端子の制御信号を増幅して、駆動信号を生成する。出力回路４４で生成された駆動信号は、コントロール端子接続用コネクタ４５に供給される。
【００４１】
コントロール端子接続用コネクタ４５は、コネクタ３４をコントロールボード３３に接続するためのコネクタであり、夫々別々独立に、かつ、専用に管理する入出力ポートＰ１〜Ｐｎを有する。各入出力ポートＰ１〜Ｐｎには、コネクタ３４の各入出力ポートＰ１〜Ｐｎが接続される。出力回路４４からの駆動信号は、コネクタ４５を通してコネクタ３４に供給される。コネクタ３４の各ポートＰ１〜Ｐｎに制御対象装置１４が接続される。
【００４２】
ＰＣ端子接続用コネクタ４６は、コントロールボード３３に接続するためのコネクタである。コネクタ３６は、コネクタ４５を介してコントロールボード３３に接続される。コネクタ４６は、ＣＰＵ４２に接続されており、コネクタ３６にコンピュータシステムなどを接続することにより、ＣＰＵ４２が外部コンピュータシステムと通信可能となる。
【００４３】
ＣＤ−ＲＷドライブ４７は、ＣＰＵ４２と接続されており、ＣＰＵ４２からコマンド、データが供給され、動作制御が行われる。ＣＤ−ＲＷドライブ４７には、ＣＤ−ＲＯＭ、ＣＤ−Ｒ、ＣＤ−ＲＷなどの光ディスクが装着される。ＣＤ−ＲＷドライブ４７は、装着された光ディスクに記録されたデータを読み出したり、光ディスクにＣＰＵ４２で処理されたデータを書き込んだりする。
【００４４】
また、コネクタ４８は、書込用コネクタ３５に接続される。書込用コネクタ３５は、書込装置接続用コネクタ３５をコントロールボード３３に接続するためのコネクタである。コネクタ３５には書込装置１５が装着される。書込装置１５は、例えば、コンピュータシステムから構成され、ＣＰＵ４２に内蔵されたメモリ５１に書き込まれたプログラムの変更を行う装置である。
【００４５】
図８は書込装置１５のブロック構成図を示す。
【００４６】
書込装置１５は、コントロール装置接続用コネクタ６１、インタフェース６２、処理装置６３、記憶装置６４、入力装置６５を含む構成とされている。
【００４７】
コントロール装置接続用コネクタ６１は、インタフェースケーブルを介して多目的コントロール装置１３のコネクタ３５に接続される。コネクタ６１は、書込装置１５の内部で処理装置６３に接続されている。処理装置６３は、入力装置６５からの指示にしたがって、記憶装置６４に記憶された更新プログラムを読み出し、多目的コントロール装置１３に供給する。記憶装置６４には、例えば、更新プログラムが記憶されており、処理装置６３は入力装置６５からの指示にしたがって更新プログラムを多目的コントロール装置１３に供給する。多目的コントロール装置１３では、書込装置１５から供給された更新プログラムに基づいてＣＰＵ４２に内蔵されたメモリ５１に記憶されたプログラムが更新される。
【００４８】
図６に戻って、コントロールボード３３について説明する。
【００４９】
図６に示される電源回路４９には、電源装置接続用コネクタ５０から電源が供給される。電源回路４９は、コネクタ５０に供給される電源から電源電圧を生成し、コントロールボード３３内の回路に電源を供給する。
【００５０】
コネクタ５０は、電源装置３７を接続するためのコネクタであり、電源装置３７から電源が供給される。電源装置３７には、電源接続用コネクタ３８が接続されている。電源接続用コネクタ３８には、例えば、商用電源が供給される。電源装置３７は、商用電源から装置内部で使用される直流電源を生成し、内部回路に供給する。
【００５１】
次に、多目的コントロール装置１３の動作を説明する。
【００５２】
図９は多目的コントロール装置１３の処理フローチャートを示す。
【００５３】
多目的コントロール装置１３は、ステップＳ３−１で通信端末装置１１からの着信を受け、ステップＳ３−２で通信端末装置１１との通信が確立し、さらに、ステップＳ３−３でメニュー要求を受信すると、ステップＳ３−４でメニュー画面データを通信端末装置１１に送信する。
【００５４】
次に多目的コントロール装置１３は、ステップＳ３−５で通信端末装置１１から制御対象装置１４の選択指示を受信すると、ステップＳ３−６で選択指示された制御対象装置１４の制御画面データを送信する。多目的コントロール装置１３は、ステップＳ３−７で通信端末装置１１から制御指示を受信すると、ステップＳ３−８で選択された制御対象装置１４の制御を行う。なお、多目的コントロール装置１３は、ステップＳ３−９で通信端末装置１１からの回線が切断されると、ステップＳ３−１０で回線を切断して処理を終了する。
【００５５】
次に、ステップＳ３−８の制御処理について詳細に説明する。
【００５６】
図１０は多目的コントロール装置１３の制御処理フローチャートを示す。
【００５７】
制御処理では、多目的コントロール装置１３は、ステップＳ４−１で、選択された対象制御装置１４に対して通信端末装置１１から供給された制御指示に応じたコマンド、データを送信する。
【００５８】
多目的コントロール装置１３は、ステップＳ４−２で対象制御装置１４から装置の状態を示す情報を受信すると、ステップＳ４−３で受信した状態情報を通信端末装置１１に送信する。
【００５９】
なお、多目的コントロール装置１３は、制御対象装置１４からの情報を内蔵したＣＤ−ＲＷドライブ４７に記録することができる。
【００６０】
図１１は多目的コントロール装置１３の記録処理の処理フローチャートを示す。
【００６１】
多目的コントロール装置１３は、ステップＳ５−１で制御対象装置１４から画像などの情報を受信すると、ステップＳ５−２で情報を送信した制御対象装置１４が記録対象装置か否かを判定する。
【００６２】
多目的コントロール装置１３は、ステップＳ５−２で記録対象装置である場合には、ステップＳ５−３で受信した情報をＣＤ−ＲＷドライブ４７に記録する。
【００６３】
なお、記録対象装置は予めメモリ５１に記録されており、メモリ５１を参照することにより選択される。また、ＣＤ−ＲＷドライブ４７に装着される光ディスクには、記録対象装置毎にホルダ、或いは、ファイルが設定されており、対応するホルダ或いはファイルに情報を記録するように構成されている。
【００６４】
次に制御対象装置１４について詳細に説明する。
【００６５】
図１２は制御対象装置１４のブロック構成図を示す。
【００６６】
制御対象装置１４は、例えば、テレビジョン受像機、冷蔵庫、エアコンディショナ、洗濯機、炊飯器、防犯カメラなどであり、機器本体７１、コントロール装置接続用コネクタ７２、インタフェース７３、処理部７４、操作部７５を含む構成とされている。
【００６７】
機器本体７１は、各装置の機能を実現する装置であり、例えば、テレビジョン受像機であれば、チューナ、表示制御回路、表示装置などを含み、冷蔵庫やエアコンディショナであれば、モータ、コンプレッサ、温度制御回路などを含む構成である。コントロール装置接続用コネクタ７２は、例えば、モジュラコネクタから構成され、モジュラケーブルを介して多目的コントロール装置１３のコネクタ２４に接続される。コネクタ７２は、制御対象装置１４の内部でインタフェース７３に接続されている。
【００６８】
インタフェース７３は、多目的コントロール装置１３と制御対象装置１４とのインタフェースをとるためのインタフェースである。また、インタフェース７３は、処理装置７４と通信可能とされている。
【００６９】
処理装置７４は、多目的コントロール装置１３からのコマンドを受信して、受信したコマンドに基づいて機器本体７１を制御する。また、処理装置７４には、操作部７５が接続されている。操作部７５は、例えば、キースイッチなどから構成されている。処理装置７４は、操作部７５からの操作情報に基づいて機器本体７１を制御する。さらに、処理装置７４は、機器本体７１の状態を取得し、インタフェース７３を介して多目的コントロール装置１３に供給する。
【００７０】
図１３は制御対象装置１４の処理フローチャートを示す。
【００７１】
制御対象装置１４は、ステップＳ６−１で制御指示を受信すると、ステップＳ６−２で多目的コントロール装置１３からコマンドが単なる状態通知か、否かを判定する。制御対象装置１４は、ステップＳ６−２で多目的コントロール装置１３からのコマンドが単なる状態通知でない場合には、ステップＳ６−３で機器本体７１をコマンドに基づいて制御し、ステップＳ６−４で機器本体７１の状態を収集する。
【００７２】
また、制御対象装置１４は、ステップＳ６−２で多目的コントロール装置１３からのコマンドが単なる状態通知を要求するものである場合には、機器本体７１の制御は行わずに、ステップＳ６−４で機器本体７１の状態を収集する。制御対象装置１４は、ステップＳ６−５で機器本体７１の状態を多目的コントロール装置１３に供給する。
【００７３】
また、制御対象装置１４が防犯カメラの場合には、防犯カメラから映像情報を多目的コントロール装置１３に送信する。多目的コントロール装置１３に防犯カメラ用の入出力ポートを設定し、防犯カメラ用の入出力ポートに防犯カメラから供給される映像情報を多目的コントロール装置１３に設けられたＣＤ−ＲＷドライブ４７に記録する。
【００７４】
以上、本実施例によれば、携帯電話、ＰＤＡなどの通信端末装置１１から自宅などに設けられた家電機器などの制御対象装置１４を制御することができる。また、このとき、多目的コントロール装置１３で統合的して制御対象装置１４の制御や状態検出を行うことができるため、操作性を向上させることができる。
【００７５】
また、ＣＤ−ＲＷドライブ４７を内蔵しており、制御対象装置１４で取得された画像などの情報を記録することができる。さらに、ＣＤ−ＲＷドライブ４７、書込装置１５を用いてプログラムの更新が容易に行える。
【００７６】
また、本実施例によれば、電話回線さえあれば、導入が可能であるので、簡易に導入を行える。
【００７７】
なお、制御対象装置１４を接続するためのコネクタ３４のポートＰ１〜Ｐｎは、モジュラコネクタに限定されるものではなく、光コネクタ、単なる電力供給用端子や、それらを組み合わせた構成であってもよい。また、これらのインタフェースに加えて無線通信システムを備えてもよい。このように、異なる種類のコネクタやインタフェースを用意することにより制御対象装置１４のインタフェースを選ばずに制御を行うことができる。
【００７８】
また、出力回路４４にパワートランジスタを搭載することによって、入出力ポートを大電流に対応可能とすることができる。
【００７９】
さらに、無線通信システムやＬＡＮポートなどを内蔵することによりパーソナルコンピュータシステムなどと通信を行うこともでき、ホームサーバとの連携も可能となる。また、テレビジョン受像機をコンピュータディスプレイの代用としてメモリ５１などのインストールされたアプリケーションを実行することもできる。例えば、ＣＤ−ＲＷドライブ４７により光ディスクに制御対象装置１４である防犯カメラなどの画像を記録し、ＣＤ−ＲＷドライブ４７により光ディスクに記録された画像を再生して、テレビジョン受像機に表示させることができる。
【００８０】
なお、本実施例では、情報記録システムとしてＣＤ−ＲＷドライブ４７を搭載したが、これに限定されるものではなく、ＣＤ−Ｒドライブ、ハードディスクドライブ、ＤＶＤ−Ｒドライブ、ＤＶＤ−ＲＷドライブなどを搭載するようにしてもよい。
【００８１】
本実施例によれば、ホームサーバなどに比べて構成が簡単であるので、安価に構成でき、また、電話回線などのネットワーク１２、制御対象装置１４をなど直接続して、制御できるため、簡易に設置できる。さらに、制御対象装置１４は、専用のポートＰ１〜Ｐｎに接続できるので、設定などが不要であり、簡易に設置できる。また、ＣＤ−ＲＷドライブ４７などのドライブを搭載するとともに、書込用のコネクタ４８を搭載することにより、制御プログラムの更新も容易に行える。
【００８２】
【発明の効果】
上述の如く、本発明によれば、制御装置により、通信端末装置からの指示に基づいて入出力ポートに接続された制御対象機器を選択し、選択された制御対象機器を制御することにより、通信端末装置からの指示により制御対象装置の制御や状態検出を容易に行うことができるため、機器の操作性を向上させることができる等の特長を有する。
【図面の簡単な説明】
【図１】本発明の一実施例のシステム構成図である。
【図２】多目的コントロール装置１３のブロック構成図である。
【図３】コントロールボード２３のブロック構成図である。
【図４】処理装置２２による制御処理の処理フローチャートである。
【図５】多目的コントロール装置１３のブロック構成図を示す。
【図６】コントロールボード３３のブロック構成図である。
【図７】制御対象装置識別テーブルのデータ構成図である。
【図８】書込装置１５のブロック構成図である。
【図９】多目的コントロール装置１３の処理フローチャートである。
【図１０】制御対象装置１４のブロック構成図である。
【図１１】多目的コントロール装置１３の記録処理の処理フローチャートである。
【図１２】制御対象装置１４のブロック構成図である。
【図１３】制御対象装置１４の処理フローチャートである。
【符号の説明】
１  機器制御システム
１１  通信端末装置、１２  ネットワーク、１３  多目的コントロール装置
１４  制御対象装置、１５  書込装置
２１  送受信装置、２２  処理装置、２３  音声処理装置
２４  スピーカ、２５  マイク、２６  操作装置、２７  表示装置
３１、３４、３５、３６、３８、４１、４５、４６、４８、５０  コネクタ
３２  通信装置、３３  コントロールボード、３７  電源装置
４２  ＣＰＵ、４３  コントロールＩＣ、４４  出力回路
４７  ＣＤ−ＲＷドライブ
５１  メモリ
６１  コネクタ、６２  インタフェース、６３  処理装置、６４  記憶装置
６５  入力装置
【図１】
2004187093.tif 000003
【図２】
2004187093.tif 000004
【図３】
2004187093.tif 000005
【図４】
2004187093.tif 000006
【図５】
2004187093.tif 000007
【図６】
2004187093.tif 000008
【図７】
2004187093.tif 000009
【図８】
2004187093.tif 000010
【図９】
2004187093.tif 000011
【図１０】
2004187093.tif 000012
【図１１】
2004187093.tif 000013
【図１２】
2004187093.tif 000014
【図１３】
2004187093.tif 000015